(57)【要約】【課題】  放送番組の再生中に停止ボタンやポーズボタンが押された場合に、ブルーバックに代えて、記録しておいたコマーシャルメッセージを再生することで、コマーシャルメッセージの有効活用を図る。【解決手段】  記録／再生部５は、番組本編の再生中に操作部６の停止ボタンが１回押されるとコマーシャルメッセージを再生するとともに、停止ボタンが２回押されると再生動作を停止する一方、コマーシャルメッセージの再生中に操作部６の再生ボタンが押されるとコマーシャルメッセージの再生を停止して番組本編を再び再生するとともに、停止ボタンまたはポーズボタンが再び押されると、前回のコマーシャルメッセージ再生停止位置アドレスから、最も近い先頭アドレスをメモリに保存されている先頭アドレスの中から抽出し、その抽出した先頭アドレスの示す位置からコマーシャルメッセージの再生を開始する。【選択図】  図１
2006050169.tif 000002
【特許請求の範囲】
【請求項１】
放送番組を受信する受信手段と、録画開始から録画終了までの間に前記受信手段で受信した放送番組の番組本編をディスク状記録媒体に一連に記録するとともに、その番組本編の間に挿入されているコマーシャルメッセージをまとめて前記ディスク状記録媒体の所定の領域に一連に記録する記録手段と、前記ディスク状記録媒体から番組本編とコマーシャルメッセージとを再生する再生手段とを備えた情報処理装置において、
前記ディスク状記録媒体の所定の領域に各コマーシャルメッセージを記録する際に、各コマーシャルメッセージの先頭アドレスを順次取得してメモリに保存する取得手段をさらに備えており、
前記再生手段は、
番組本編の再生中に停止ボタンが１回押されると前記コマーシャルメッセージを再生するとともに、停止ボタンが２回押されると再生動作を停止する一方、
コマーシャルメッセージの再生中に再生ボタンが押されるとコマーシャルメッセージの再生を停止して番組本編を再び再生するとともに、停止ボタンまたはポーズボタンが再び押されると、前回のコマーシャルメッセージ再生停位置アドレスから最も近い先頭アドレスを、前記メモリに保存されている先頭アドレスの中から抽出し、その抽出した先頭アドレスの示す位置からコマーシャルメッセージの再生を開始することを特徴とする情報処理装置。
【請求項２】
番組本編のみが一連に記録されるとともに、その番組本編の間に挿入されていたコマーシャルメッセージがまとめて所定の領域に一連に記録されたディスク状記録媒体を再生する再生手段を備えた情報処理装置であって、
前記再生手段は、番組本編の再生中に停止ボタンまたはポーズボタンが押されると前記コマーシャルメッセージを再生することを特徴とする情報処理装置。
【請求項３】
放送番組を受信する受信手段と、録画開始から録画終了までの間に前記受信手段で受信した放送番組の番組本編をディスク状記録媒体に一連に記録するとともに、その番組本編の間に挿入されているコマーシャルメッセージをまとめて前記ディスク状記録媒体の所定の領域に一連に記録する記録手段と、前記ディスク状記録媒体から放送番組とコマーシャルメッセージとを再生する再生手段とを備えた情報処理装置において、
前記再生手段は、番組本編の再生中に停止ボタンまたはポーズボタンが押されると前記コマーシャルメッセージを再生することを特徴とする情報処理装置。
【請求項４】
前記再生手段は、番組本編の再生中に停止ボタンが１回押されると前記コマーシャルメッセージを再生する一方、停止ボタンが２回押されると再生動作を停止することを特徴とする請求項２または請求項３に記載の情報処理装置。
【請求項５】
前記再生手段は、コマーシャルメッセージの再生中に再生ボタンが押されるとコマーシャルメッセージの再生を停止して番組本編を再び再生するとともに、停止ボタンまたはポーズボタンが再び押されると、前回停止時の位置からコマーシャルメッセージの再生を開始することを特徴とする請求項２ないし請求項４のいずれかに記載の情報処理装置。
【請求項６】
コマーシャルメッセージの再生時間を計測する計測手段を備えており、
前記再生手段は、コマーシャルメッセージの再生中に再生ボタンが押されるとコマーシャルメッセージの再生を停止して番組本編を再び再生するとともに、停止ボタンまたはポーズボタンが再び押されると、前記計測手段にて計測したコマーシャルメッセージの再生時間に基づき、前回のコマーシャルメッセージ再生停止位置から最も近いコマーシャルメッセージの先頭の位置を計算により求め、その求めた位置からコマーシャルメッセージの再生を開始することを特徴とする請求項２ないし請求項４のいずれかに記載の情報処理装置。
【請求項７】
コマーシャルメッセージ間の無音区間を検出する検出手段を備えており、
前記再生手段は、コマーシャルメッセージの再生中に再生ボタンが押されるとコマーシャルメッセージの再生を停止して番組本編を再び再生するとともに、停止ボタンまたはポーズボタンが再び押されると、前記検出手段による無音区間の検出によって、前回のコマーシャルメッセージ再生停止位置から最も近いコマーシャルメッセージの先頭の位置を検出し、その検出位置からコマーシャルメッセージの再生を開始することを特徴とする請求項２ないし請求項４のいずれかに記載の情報処理装置。
【請求項８】
前記ディスク状記録媒体の所定の領域に各コマーシャルメッセージを記録する際に、各コマーシャルメッセージの先頭アドレスを順次取得してメモリに保存する取得手段を備えており、
前記再生手段は、コマーシャルメッセージの再生中に再生ボタンが押されるとコマーシャルメッセージの再生を停止して番組本編を再び再生するとともに、停止ボタンまたはポーズボタンが再び押されると、前回のコマーシャルメッセージ再生停止位置アドレスから最も近い先頭アドレスを、前記メモリに保存されている先頭アドレスの中から抽出し、その抽出した先頭アドレスの示す位置からコマーシャルメッセージの再生を開始することを特徴とする請求項３に記載の情報処理装置。
【発明の詳細な説明】
【技術分野】
【０００１】
本発明は、番組本編のみが一連に記録されるとともに、その番組本編の間に挿入されていたコマーシャルメッセージがまとめて所定の領域に一連に記録されたディスク状記録媒体を再生する再生装置、または、放送番組を受信する受信手段と、録画開始から録画終了までの間に前記受信手段で受信した放送番組の番組本編をディスク状記録媒体に一連に記録するとともに、その番組本編の間に挿入されているコマーシャルメッセージをまとめて前記ディスク状記録媒体の所定の領域に一連に記録する記録手段と、前記ディスク状記録媒体から番組本編とコマーシャルメッセージとを再生する再生手段とを備えた録画再生装置、などの情報処理装置に関する。
【背景技術】
【０００２】
従来、放送波を受信する受信手段と、録画開始時刻及び録画終了時刻を設定する録画予約手段と、録画開始時刻から録画終了時刻までの間に受信手段で受信した放送波をディスク状記録媒体に記録する記録手段と、ディスク状記録媒体に記録した放送波を再生する再生手段とを備えた録画再生装置において、録画開始時刻から録画終了時刻までの間に受信手段で受信した一連の放送波について音声信号の変化を検出し、該検出結果を用いてこの一連の放送波からコマーシャルメッセージ放送を検出するコマーシャルメッセージ検出手段を備えた録画再生装置が提案されている（例えば、特許文献１参照）。この録画再生装置は、ディスク状記録媒体の再生時、番組本編を連続して再生した後、コマーシャルメッセージを続けて再生するようになっている。
【特許文献１】特開２００２−１３５７２８号公報
【発明の開示】
【発明が解決しようとする課題】
【０００３】
上記特許文献１によれば、番組本編を連続して再生した後、コマーシャルメッセージを続けて再生することで、番組本編に挿入されているコマーシャルメッセージを手動または自動でスキップさせる等の煩雑な操作を行わなくても、番組本編を連続して見ることが可能である。しかし、番組本編を見終わったユーザが停止ボタンを押した場合には、コマーシャルメッセージは全く再生されずに再生動作が終了することになり、わざわざ録画したコマーシャルメッセージが有効に活用されないといった問題が発生する。
【０００４】
ところで、番組本編の視聴中に停止ボタンやポーズボタン等を押して視聴を中段した場合、通常、画面はブルーバック等となり、ユーザが再生ボタンを押すか、モードをビデオモードから通常のテレビモードに切り換えない限り、ブルーバック状態（無映像状態と無音状態）が続くことになる。
【０００５】
本発明はこのような点に着目して創案されたもので、その目的は、放送番組の再生中に停止ボタンやポーズボタンが押された場合に、ブルーバックに代えて、記録しておいたコマーシャルメッセージを再生することで、コマーシャルメッセージの有効活用を図った情報処理装置を提供することにある。
【課題を解決するための手段】
【０００６】
本発明の情報処理装置は、番組本編のみが一連に記録されるとともに、その番組本編の間に挿入されていたコマーシャルメッセージがまとめて所定の領域に一連に記録されたディスク状記録媒体を再生する再生手段を備えた情報処理装置であって、前記再生手段は、番組本編の再生中に停止ボタンまたはポーズボタンが押されると前記コマーシャルメッセージを再生することを特徴とする。
【０００７】
また、本発明の情報処理装置は、放送番組を受信する受信手段と、録画開始から録画終了までの間に前記受信手段で受信した放送番組の番組本編をディスク状記録媒体に一連に記録するとともに、その番組本編の間に挿入されているコマーシャルメッセージをまとめて前記ディスク状記録媒体の所定の領域に一連に記録する記録手段と、前記ディスク状記録媒体から番組本編とコマーシャルメッセージとを再生する再生手段とを備えた情報処理装置において、前記再生手段は、番組本編の再生中に停止ボタンまたはポーズボタンが押されると前記コマーシャルメッセージを再生することを特徴とする。
【０００８】
このような特徴を有する本発明によれば、番組本編の再生中に停止ボタンやポーズボタンが押されると、従来のブルーバックに代えて、記録しておいたコマーシャルメッセージを再生することで、コマーシャルメッセージを有効に活用することができる。
【０００９】
この場合、前記再生手段は、番組本編の再生中に停止ボタンが１回押されると前記コマーシャルメッセージを再生する一方、停止ボタンが２回押されると再生動作を停止するように構成してもよい。これにより、ユーザが番組本編の再生を本当に中止したい場合と一時的に中止したい場合の使い分けが可能となる。
【００１０】
また、前記再生手段は、コマーシャルメッセージの再生中に再生ボタンが押されるとコマーシャルメッセージの再生を停止して番組本編を再び再生するとともに、停止ボタンまたはポーズボタンが再び押されると、前回停止時の位置からコマーシャルメッセージの再生を開始するように構成してもよい。これにより、記録しておいたコマーシャルメッセージを同じところから何度も再生するといった不具合を解消でき、記録した全コマーシャルメッセージをまんべんなく再生することができる。
【００１１】
また、本発明の情報記録装置は、コマーシャルメッセージの再生時間を計測する計測手段をさらに備えており、前記再生手段は、コマーシャルメッセージの再生中に再生ボタンが押されるとコマーシャルメッセージの再生を停止して番組本編を再び再生するとともに、停止ボタンまたはポーズボタンが再び押されると、前記計測手段にて計測したコマーシャルメッセージの再生時間に基づき前回のコマーシャルメッセージ再生停止位置から、最も近いコマーシャルメッセージの先頭の位置を計算により求め、その求めた位置からコマーシャルメッセージの再生を開始するように構成してもよい。これにより、番組本編再生時に停止ボタンまたはポーズボタンが押されることによってコマーシャルメッセージを再生するときには、前回停止時の位置から最も近い位置に記録されているコマーシャルメッセージを、ほぼ最初から再生することが可能となる。
【００１２】
また、本発明の情報処理装置は、コマーシャルメッセージ間の無音区間を検出する検出手段をさらに備えており、前記再生手段は、コマーシャルメッセージの再生中に再生ボタンが押されるとコマーシャルメッセージの再生を停止して番組本編を再び再生するとともに、停止ボタンまたはポーズボタンが再び押されると、前記検出手段による無音区間の検出によって、前回のコマーシャルメッセージ再生停止位置から最も近いコマーシャルメッセージの先頭の位置を検出し、その検出位置からコマーシャルメッセージの再生を開始するように構成してもよい。これにより、番組本編再生時に停止ボタンまたはポーズボタンが押されることによってコマーシャルメッセージを再生するときには、前回停止時の位置から最も近い位置に記録されているコマーシャルメッセージを最初から再生することが可能となる。
【００１３】
また、本発明の情報処理装置は、前記ディスク状記録媒体の所定の領域に各コマーシャルメッセージを記録する際に、各コマーシャルメッセージの先頭アドレスを順次取得してメモリに保存する取得手段をさらに備えており、前記再生手段は、コマーシャルメッセージの再生中に再生ボタンが押されるとコマーシャルメッセージの再生を停止して番組本編を再び再生するとともに、停止ボタンまたはポーズボタンが再び押されると、前回のコマーシャルメッセージ再生停止位置アドレスに基づき、最も近い先頭アドレスを前記メモリに保存されている先頭アドレスの中から抽出し、その抽出した先頭アドレスの示す位置からコマーシャルメッセージの再生を開始するように構成してもよい。これにより、番組本編再生時に停止ボタンまたはポーズボタンが押されることによってコマーシャルメッセージを再生するときには、前回停止時の位置から最も近い位置に記録されているコマーシャルメッセージを、その最初から再生することが可能となる。
【発明の効果】
【００１４】
本発明の情報処理装置によれば、番組本編の再生中に停止ボタンやポーズボタンが押されると、従来のブルーバックに代えて、記録しておいたコマーシャルメッセージを再生することで、コマーシャルメッセージを有効に活用することができる。
【発明を実施するための最良の形態】
【００１５】
以下、本発明の実施の形態について、図面を参照して説明する。
【００１６】
＜実施形態１＞
図１は、本発明の情報処理装置をＤＶＤレコーダに適用した場合の電気的構成を示す機能ブロック図であり、実施形態１に対応している。
【００１７】
このＤＶＤレコーダ１Ａは、本体の動作を制御する制御部２と、テレビ局から放送されている放送番組の信号を受信する受信部３と、受信部３で受信した放送番組の信号の中からコマーシャルメッセージ（以下「ＣＭ」という。）を検出するＣＭ検出部４と、受信部３で受信した放送番組をディスク状記録媒体であるＤＶＤ（ディジタルバーサタイルディスク）１０に記録（録画）するとともに、このＤＶＤ１０に記録されているデータ（録画データ）を再生する記録／再生部５と、図示しない停止ボタンやポーズボタンを備えており本体に対して入力操作を行う操作部６と、記録／再生部５で再生された再生信号を出力する出力部７と、を備えている。本実施形態１のＤＶＤレコーダ１Ａは、周知の予約録画機能を有している。予約録画開始時刻、予約録画終了時刻等の設定は操作部６で行える。また、本体に対する入力操作が周知のリモコン装置で行える構成を採用してもよい。
【００１８】
周知のように、殆どのテレビ局は番組本編の途中にＣＭを挿入した番組放送を行っている。また、放送番組の音声信号には、ステレオ放送、２カ国語放送、モノラル放送等、音声モードを示す情報が含まれている。受信部３で受信した放送番組を録画するＤＶＤ１０は、装置本体に対して着脱自在である。記録／再生部５は、本体にセットされたＤＶＤ１０に対するデータの書き込み及び読み取りを行うピックアップヘッド（以下、単にヘッド言う。）を備えている。出力部７には、図示しないテレビ受像機等の表示装置が接続される。
【００１９】
本実施形態１のＤＶＤレコーダ１Ａは、上記したように、受信部３で受信した放送番組の音声信号の変化に基づいて、受信した放送番組の信号からＣＭを検出するＣＭ検出部４を備えている。ＣＭ検出部４は、例えば、予め番組本編の音声モードを設定しておけば、設定されている音声モードである放送信号を番組本編とし、それ以外の放送信号をＣＭとして検出する。上述したように放送番組の音声信号には上記音声モードを示す情報が含まれているので、この情報を読み取ることで、受信部３で受信した放送信号がどの音声モードであるかを検出することができる。
【００２０】
また、番組本編とＣＭとの間や、ＣＭとＣＭとの間には無音区間があることを利用し、音声レベルの変化、すなわち無音区間を検出し受信部３で受信した放送信号からＣＭを検出するように構成してもよい。
【００２１】
さらに、ＣＭの放送時間が番組本編の連続放送時間よりも短いことから、音声モードの変化及び音声モードが一定である（変化しなかった）時間を計測し、これらの情報に基づいて受信部３で受信した放送波からＣＭを検出するように構成してもよい。
【００２２】
なお、上記の構成を組み合わせて受信部３で受信した放送信号からＣＭを検出するように構成してもよい。
【００２３】
次に、上記構成のＤＶＤレコーダ１Ａによる予約録画時の動作について、図２に示すフローチャートを参照して説明する。
【００２４】
このＤＶＤレコーダ１Ａは上述のように予約録画機能を有している。従って、ＤＶＤレコーダ１Ａは、予め設定されている予約録画開始時刻になると録画処理を開始する（ステップＳ１）。
【００２５】
すなわち、記録／再生部５は、ＣＭ検出部４により放送番組に含まれるＣＭの検出を上記の手法を用いて開始する（ステップＳ２）。その結果、ＣＭを検出していない場合（ステップＳ２でＮｏと判断された場合）には、本体にセットされているＤＶＤ１０の通常のデータ領域に、受信部３で受信した放送番組の番組本編をディジタルデータに変換して記録（録画）していく（ステップＳ３）。番組本編の記録中、記録／再生部５は、ステップＳ２、ステップＳ３、ステップＳ６の処理を繰り返す。
【００２６】
一方、このような記録状態において、ＣＭ検出部４によりＣＭを検出すると（ステップＳ２でＹｅｓと判断されると）、本体にセットされているＤＶＤ１０の所定の領域（例えばデータ領域の最外周の領域）にＣＭを記録（録画）していく（ステップＳ４）。そして、ＣＭ検出部４によりＣＭの終了を検出すると（ステップＳ５でＹｅｓと判断されると）、ＣＭの記録を中止し、ステップＳ６からステップＳ２に戻って処理を継続する。
【００２７】
ＤＶＤレコーダ１Ａでは、このような処理（ステップＳ２〜ステップＳ６）を、予約録画終了時刻になるまで（ステップＳ６でＹｅｓと判断されるまで）繰り返す。その結果、ＤＶＤ１０には、図３に示すように、録画開始から録画終了までの間に受信部３で受信した放送番組の番組本編（番組１、番組２、番組３、・・・）が一連に記録されるとともに、その番組本編の間に挿入されているＣＭ（ＣＭ１、ＣＭ２、ＣＭ３、・・・）が所定の領域１０ａにまとめて一連に記録されることになる。
【００２８】
次に、上記のようにして番組本編とＣＭとが記録されたＤＶＤ１０を再生する場合の処理動作について、図４に示すフローチャートを参照して説明する。
【００２９】
ユーザが、操作部６の図示しない再生ボタンを操作することによりＤＶＤの再生を開始すると（ステップＳ１１）、記録／再生部５は、操作入力部６の停止ボタンまたはポーズボタンが押されたか否かの監視を開始する（ステップＳ１２）。そして、停止ボタンまたはポーズボタンが押されない場合（ステップＳ１２でＮｏと判断された場合）には、通常のデータ領域に記録されている番組本編を番組１、番組２、番組３、・・・と連続して再生する（ステップＳ１３）。
【００３０】
一方、番組本編の再生途中で停止ボタンまたはポーズボタンが押された場合（ステップＳ１２でＹｅｓと判断された場合）には、所定の領域１０ａに記録されているＣＭをＣＭ１、ＣＭ２、ＣＭ３、・・・と連続して再生する（ステップＳ１４）。このとき、記録／再生部５は、再生ボタンまたはポーズボタンが押されて番組本編の再生が指示されたか否かを監視するとともに（ステップＳ１５）、所定の領域に記録されている全てのＣＭを再生し終わったか否かを監視する（ステップＳ１６）。
【００３１】
そして、ＣＭ再生中に再生ボタンまたはポーズボタンが押された場合（ステップＳ１５でＹｅｓと判断された場合）には、ステップＳ１３へと動作を進め、通常のデータ領域に記録されている番組本編を続きから再生する。すなわち、停止キーまたはポーズキーが押された時点で例えば番組２まで再生し終わっていた場合には、番組３から再生を開始する。
【００３２】
一方、ＣＭ再生中に再生ボタンまたはポーズボタンが押されることなく、記録されているＣＭを最後まで再生し終わった場合（ステップＳ１５でＮｏ、ステップＳ１６でＹｅｓと判断された場合）には、再生動作を停止して通常の停止状態とする（ステップＳ１７）。
【００３３】
記録／再生部５では、このような処理（ステップＳ１２〜ステップＳ１６）を、番組本編の再生動作を終了するまで（ステップＳ１８でＹｅｓと判断されるまで）繰り返す。
【００３４】
なお、記録／再生部５は、番組本編の再生途中に停止ボタンまたはポーズボタンが何度か押された場合には、その都度、記録されたＣＭの最初から（すなわち、ＣＭ１から）再生するようにしてもよいし、前回のＣＭ再生終了時の位置からＣＭの再生を開始するようにしてもよい。例えば、前回のＣＭ再生終了時の位置がＣＭ２の最後であった場合には、ＣＭ３の最初から再生を開始するようにしてもよい。
【００３５】
また、上記再生動作の説明では、番組本編の再生途中で停止ボタンが押された場合（ステップＳ１２でＹｅｓと判断された場合）に、ＣＭ再生を開始するようになっている（ステップＳ１４）。しかし、ユーザが番組本編の再生を停止しようとして停止ボタンを押したにも係わらず、ＣＭが引き続き再生されると、ユーザにとっては違和感のある操作となる。そこで、このような場合を考慮し、記録／再生部５は、番組本編の再生中に停止ボタンが押された場合に、何回押されたかを確認し、１回押された場合には、ＣＭを再生する一方、停止ボタンが２回押された場合には、再生動作そのものを停止するようにしてもよい。これにより、ユーザが番組本編の再生を本当に中止したい場合と、一時的に中止したい場合の使い分けが可能となる。
【００３６】
＜実施形態２＞
図５は、本実施形態２のＤＶＤレコーダ１Ｂの電気的構成を示す機能ブロック図である。
【００３７】
本実施形態２のＤＶＤレコーダ１Ｂと上記実施形態１のＤＶＤレコーダ１Ａとの違いは、本実施形態２のＤＶＤレコーダ１ＢがＣＭの再生時間を計測する計測手段であるタイマー回路８を備えている点であり、他の構成要素は上記実施形態１のＤＶＤレコーダ１Ａと同じであるので、ここでは同ブロックに同符号を付すこととし、詳細な説明を省略する。ただし、タイマー回路８を備えていることから、記録／再生部５でのＤＶＤ１０を再生する場合の処理動作は上記実施形態１のＤＶＤレコーダ１Ａの記録／再生部５での処理動作と異なっている。また、記録／再生部５は、タイマー回路８で計測したＣＭ再生時間を記憶する図示しない内部メモリを備えている。
【００３８】
次に、本実施形態２のＤＶＤレコーダ１ＢによりＤＶＤ１０を再生する場合の処理動作について、図６に示すフローチャートを参照して説明する。
【００３９】
ユーザが、操作部６の図示しない再生ボタンを操作することによりＤＶＤの再生を開始すると（ステップＳ２１）、記録／再生部５は、操作入力部６の停止ボタンまたはポーズボタンが押されたか否かの監視を開始する（ステップＳ２２）。そして、停止ボタンまたはポーズボタンが押されない場合（ステップＳ２２でＮｏと判断された場合）には、通常のデータ領域に記録されている番組本編を番組１、番組２、番組３、・・・と連続して再生する（ステップＳ２３）。
【００４０】
一方、番組本編の再生途中で停止ボタンまたはポーズボタンが押された場合（ステップＳ２２でＹｅｓと判断された場合）には、記録／再生部５は、内部メモリにＣＭ再生時間が記憶されているか否かを確認する（ステップＳ２４）。この場合、番組本編の再生途中で停止ボタンまたはポーズボタンが初めて押された場合には、内部メモリにはまだＣＭ再生時間が記憶されていないので、ここでの判断はＮｏとなる。従って、記録／再生部５は、ステップＳ２５へと動作を進め、所定の領域に記録されているＣＭを最初から再生することになる。また、これと同時に、記録／再生部５は、タイマー回路８を起動してＣＭ再生時間の計測を開始する（ステップＳ２６）。
【００４１】
一方、番組本編の再生途中で停止ボタンまたはポーズボタンが何度か押されている場合には、内部メモリには前回までのＣＭ再生時間が積算される形で記憶されているので、ステップＳ２４での判断はＹｅｓとなる。従って、記録／再生部５は、ステップＳ２７へと動作を進め、内部メモリに記憶されている前回までのＣＭ再生時間に基づき、前回のＣＭ再生停止位置から最も近いＣＭの先頭の位置を計算により求め、その求めた位置からＣＭの再生を開始する。具体例を挙げて説明すると、図７に示すように、例えば１つのＣＭの時間単位を２０秒に設定し、最初のＣＭ再生時間が３５秒であった場合、前回のＣＭ再生停止位置はＣＭ２の先頭から１５秒後のｔ１となる。従って、記録／再生部５では、内部メモリに記憶されている前回までのＣＭ再生時間である３５秒と、設定した１つのＣＭの時間単位である２０秒とに基づき、前回のＣＭ再生停止位置から最も近いＣＭの先頭の位置ｔ２、すなわちこの場合にはＣＭ３の先頭位置を計算により求め、その求めた位置ｔ２からＣＭ３の再生を開始する。また、これと同時に、記録／再生部５は、タイマー回路８を起動して、ＣＭ再生時間の積算を開始する（ステップＳ２８）。
【００４２】
このようにして、所定の領域に記録されているＣＭを連続して再生しながら、記録／再生部５は、再生ボタンまたはポーズボタンが押されて番組本編の再生が指示されたか否かを監視するとともに（ステップＳ２９）、所定の領域に記録されている全てのＣＭを再生し終わったか否かを監視する（ステップＳ３０）。
【００４３】
そして、ＣＭ再生中に再生ボタンまたはポーズボタンが押された場合（ステップＳ２９でＹｅｓと判断された場合）には、その時点までの積算したＣＭ再生時間を内部メモリに記憶（更新記憶）して（ステップＳ３１）、ステップＳ２３へと動作を進め、通常のデータ領域に記録されている番組本編を続きから再生する。すなわち、停止キーまたはポーズキーが押された時点で例えば番組２まで再生し終わっていた場合には、番組３から再生を開始する。
【００４４】
一方、ＣＭ再生中に再生ボタンまたはポーズボタンが押されることなく、記録されているＣＭを最後まで再生し終わった場合（ステップＳ２９でＮｏ、ステップＳ３０でＹｅｓと判断された場合）には、再生動作を停止して通常の停止状態とするとともに（ステップＳ３２）、内部メモリに記憶しているＣＭ再生時間をクリアする（ステップＳ３３）。
【００４５】
記録／再生部５では、このような処理（ステップＳ２２〜ステップＳ３０）を、番組本編の再生動作を終了するまで（ステップＳ３４でＹｅｓと判断されるまで）繰り返す。
【００４６】
このように、本実施形態２では、ＣＭの再生停止位置がそのＣＭの途中であった場合でも、次にＣＭを再生するときには、そのＣＭの再生停止位置から最も近いＣＭのほぼ先頭位置（すなわち、当該ＣＭのほぼ先頭位置または次のＣＭのほぼ先頭位置のいずれか）から再生することが可能となる。つまり、中途半端なところからのＣＭ再生を少しでも防止することができる。ただし、１つのＣＭの長さは、１５秒、２０秒、３０秒等、何種類かあるので、本実施形態２で計算により求めているＣＭの先頭位置は、必ずしも正確な先頭位置が計算されているわけではない。
【００４７】
＜実施形態３＞
図８は、本実施形態３のＤＶＤレコーダ１Ｂの電気的構成を示す機能ブロック図である。
【００４８】
本実施形態３のＤＶＤレコーダ１Ｃと上記実施形態２のＤＶＤレコーダ１Ｂとの違いは、本実施形態３のＤＶＤレコーダ１Ｃが、ＣＭの再生時間を計測するタイマー回路８の代わりに、ＣＭとＣＭとの間の無音区間を検出する無音区間検出部９を備えている点であり、他の構成要素は上記実施形態２のＤＶＤレコーダ１Ｂと同じであるので、ここでは同ブロックに同符号を付すこととし、詳細な説明を省略する。ただし、無音区間検出部９を備えていることから、記録／再生部５でのＤＶＤを再生する場合の処理動作は上記実施形態２のＤＶＤレコーダ１Ｂの記録／再生部５での処理動作と異なっている。また、記録／再生部５は、ＣＭ再生停止位置のアドレスを記憶する図示しない内部メモリを備えている。
【００４９】
次に、本実施形態３のＤＶＤレコーダ１ＣによりＤＶＤ１０を再生する場合の処理動作について、図９に示すフローチャートを参照して説明する。
【００５０】
ユーザが、操作部６の図示しない再生ボタンを操作することによりＤＶＤ１０の再生を開始すると（ステップＳ４１）、記録／再生部５は、操作入力部６の停止ボタンまたはポーズボタンが押されたか否かの監視を開始する（ステップＳ４２）。そして、停止ボタンまたはポーズボタンが押されない場合（ステップＳ４２でＮｏと判断された場合）には、通常のデータ領域に記録されている番組本編を番組１、番組２、番組３、・・・と連続して再生する（ステップＳ４３）。
【００５１】
一方、番組本編の再生途中で停止ボタンまたはポーズボタンが押された場合（ステップＳ４２でＹｅｓと判断された場合）には、記録／再生部５は、内部メモリにＣＭ再生停止位置アドレスが記憶されているか否かを確認する（ステップＳ４４）。この場合、番組本編の再生途中で停止ボタンまたはポーズボタンが初めて押された場合には、内部メモリにはまだＣＭ再生停止位置アドレスが記憶されていないので、ここでの判断はＮｏとなる。従って、記録／再生部５は、ステップＳ４５へと動作を進め、所定の領域に記録されているＣＭを最初から再生することになる。
【００５２】
一方、番組本編の再生途中で停止ボタンまたはポーズボタンが何度か押されている場合には、内部メモリには前回のＣＭ再生停止位置アドレスが記憶されているので、ステップＳ４４での判断はＹｅｓとなる。従って、記録／再生部５は、ステップＳ４６へと動作を進め、内部メモリに記憶されている前回のＣＭ再生停止位置アドレスのところまでヘッドを移動し、ここから内部的な再生を行って、無音区間検出部９によりＣＭの次の無音区間を検出し、その検出位置からＣＭの再生を開始する。
【００５３】
このようにして、所定の領域に記録されているＣＭを連続して再生しながら、記録／再生部５は、再生ボタンまたはポーズボタンが押されて番組本編の再生が指示されたか否かを監視するとともに（ステップＳ４７）、所定の領域に記録されている全てのＣＭを再生し終わったか否かを監視する（ステップＳ４８）。
【００５４】
そして、ＣＭ再生中に再生ボタンまたはポーズボタンが押された場合（ステップＳ４７でＹｅｓと判断された場合）には、その時点でのＣＭ再生停止位置アドレスを内部メモリに更新記憶して（ステップＳ４９）、ステップＳ４３へと動作を進め、通常のデータ領域に記録されている番組本編を続きから再生する。すなわち、停止キーまたはポーズキーが押された時点で例えば番組２まで再生し終わっていた場合には、番組３から再生を開始する。
【００５５】
一方、ＣＭ再生中に再生ボタンまたはポーズボタンが押されることなく、記録されているＣＭを最後まで再生し終わった場合（ステップＳ４７でＮｏ、ステップＳ４８でＹｅｓと判断された場合）には、再生動作を停止して通常の停止状態とするとともに（ステップＳ５０）、内部メモリに記憶しているＣＭ再生停止位置アドレスをクリアする（ステップＳ５１）。
【００５６】
記録／再生部５では、このような処理（ステップＳ４２〜ステップＳ４８）を、番組本編の再生動作を終了するまで（ステップＳ５２でＹｅｓと判断されるまで）繰り返す。
【００５７】
このように、本実施形態３では、ＣＭの再生停止位置がそのＣＭの途中であった場合でも、次にＣＭを再生するときには、そのＣＭの再生停止位置から最も近い次のＣＭの先頭位置から再生することが可能となる。つまり、中途半端なところからのＣＭ再生を防止することができる。
【００５８】
＜実施形態４＞
本実施形態４のＤＶＤレコーダ１Ｄは、ＤＶＤの所定の領域にＣＭを記録する際に、各ＣＭの先頭アドレスを順次取得して記録／再生部５の図示しない内部メモリに記憶し、ＤＶＤ再生時、番組本編を再生中に停止ボタンまたはポーズボタンが押されると、前回のＣＭ再生停止位置アドレスから最も近い先頭アドレスを、内部メモリに記憶されている先頭アドレスの中から抽出し、その抽出した先頭アドレスの示す位置からＣＭの再生を開始するように構成したものである。なお、本実施形態４のハードウェア構成は、図１に示す実施形態１のハードウェア構成と基本的に同じであるので、ここでは図示を省略する。また、本実施形態４では、記録／再生部５は、ＣＭ再生停止位置のアドレスも内部メモリに記憶するようになっている。
【００５９】
次に、上記構成のＤＶＤレコーダ１Ｄによる予約録画時の動作について、図１０に示すフローチャートを参照して説明する。
【００６０】
ＤＶＤレコーダ１Ｄの記録／再生部５は、予め設定されている予約録画開始時刻になると録画処理を開始する（ステップＳ６１）。
【００６１】
すなわち、記録／再生部５は、ＣＭ検出部４により放送番組に含まれるＣＭの検出を開始する（ステップＳ６２）。その結果、ＣＭを検出していない場合（ステップＳ６２でＮｏと判断された場合）には、本体にセットされているＤＶＤ１０の通常のデータ領域に、受信部３で受信した放送番組の番組本編をディジタルデータに変換して記録（録画）していく（ステップＳ６３）。番組本編の記録中、記録／再生部５は、ステップＳ６２、ステップＳ６３、ステップＳ６７の処理を繰り返す。
【００６２】
一方、このような記録状態において、ＣＭ検出部４によりＣＭを検出すると（ステップＳ６２でＹｅｓと判断されると）、本体にセットされているＤＶＤ１０の所定の領域（データ領域の最外周の領域）にＣＭを記録（録画）していく（ステップＳ６４）。その際、記録／再生部５は、各ＣＭを記録したＤＶＤ１０の先頭アドレスを取得し、これを内部メモリに記憶する（ステップＳ６５）。そして、ＣＭ検出部４によりＣＭの終了を検出すると（ステップＳ６６でＹｅｓと判断されると）、ＤＶＤの所定の領域へのＣＭの記録を中止し、ステップＳ６７からステップＳ６２に戻って処理を継続する。
【００６３】
ＤＶＤレコーダ１Ｄでは、このような処理（ステップＳ６２〜ステップＳ６７）を、予約録画終了時刻になるまで（ステップＳ６７でＹｅｓと判断されるまで）繰り返す。その結果、ＤＶＤ１０には、図３に示すように、録画開始から録画終了までの間に受信部３で受信した放送番組の番組本編（番組１、番組２、番組３、・・・）が一連に記録されるとともに、その番組本編の間に挿入されているＣＭ（ＣＭ１、ＣＭ２、ＣＭ３、・・・）が所定の領域１０ａにまとめて一連に記録されることになる。また、記録／再生部５には、各ＣＭの先頭アドレスが全て記憶される。
【００６４】
次に、上記のようにして番組本編とＣＭとが記録されたＤＶＤ１０を再生する場合の処理動作について、図１１に示すフローチャートを参照して説明する。
【００６５】
ユーザが、操作部６の図示しない再生ボタンを操作することによりＤＶＤ１０の再生を開始すると（ステップＳ７１）、記録／再生部５は、操作入力部６の停止ボタンまたはポーズボタンが押されたか否かの監視を開始する（ステップＳ７２）。そして、停止ボタンまたはポーズボタンが押されない場合（ステップＳ７２でＮｏと判断された場合）には、通常のデータ領域に記録されている番組本編を番組１、番組２、番組３、・・・と連続して再生する（ステップＳ７３）。
【００６６】
一方、番組本編の再生途中で停止ボタンまたはポーズボタンが押された場合（ステップＳ７２でＹｅｓと判断された場合）には、記録／再生部５は、内部メモリにＣＭ再生停止位置アドレスが記憶されているか否かを確認する（ステップＳ７４）。この場合、番組本編の再生途中で停止ボタンまたはポーズボタンが初めて押された場合には、内部メモリにはまだＣＭ再生停止位置アドレスが記憶されていないので、ここでの判断はＮｏとなる。従って、記録／再生部５は、ステップＳ７５へと動作を進め、所定の領域に記録されているＣＭを最初から再生することになる。
【００６７】
一方、番組本編の再生途中で停止ボタンまたはポーズボタンが何度か押されている場合には、内部メモリには前回のＣＭ再生停止位置アドレスが記憶されているので、ステップＳ７４での判断はＹｅｓとなる。従って、記録／再生部５は、ステップＳ７６へと動作を進め、内部メモリに記憶されている前回のＣＭ再生停止位置アドレスから最も近い先頭アドレスを、同じく内部メモリに記憶されている各ＣＭの先頭アドレスの中から抽出し、その抽出した先頭アドレスの示す位置からＣＭの再生を開始する。
【００６８】
このようにして、所定の領域に記録されているＣＭを連続して再生しながら、記録／再生部５は、再生ボタンまたはポーズボタンが押されて番組本編の再生が指示されたか否かを監視するとともに（ステップＳ７７、所定の領域に記録されている全てのＣＭを再生し終わったか否かを監視する（ステップＳ７８）。
【００６９】
そして、ＣＭ再生中に再生ボタンまたはポーズボタンが押された場合（ステップＳ７７でＹｅｓと判断された場合）には、その時点でのＣＭ再生停止位置アドレスを内部メモリに更新記憶して（ステップＳ７９）、ステップＳ７３へと動作を進め、通常のデータ領域に記録されている番組本編を続きから再生する。すなわち、停止キーまたはポーズキーが押された時点で例えば番組２まで再生し終わっていた場合には、番組３から再生を開始する。
【００７０】
一方、ＣＭ再生中に再生ボタンまたはポーズボタンが押されることなく、記録されているＣＭを最後まで再生し終わった場合（ステップＳ７７でＮｏ、ステップＳ７８でＹｅｓと判断された場合）には、再生動作を停止して通常の停止状態とするとともに（ステップＳ８０）、内部メモリに記憶しているＣＭ再生停止位置アドレスをクリアする（ステップＳ８１）。
【００７１】
記録／再生部５では、このような処理（ステップＳ７２〜ステップＳ７８）を、番組本編の再生動作を終了するまで（ステップＳ５８２でＹｅｓと判断されるまで）繰り返す。
【００７２】
このように、本実施形態４では、ＣＭの再生停止位置がそのＣＭの途中であった場合でも、次にＣＭを再生するときには、そのＣＭの再生停止位置から最も近い次のＣＭの先頭位置から再生することが可能となる。つまり、中途半端なところからのＣＭ再生を防止することができる。
【図面の簡単な説明】
【００７３】
【図１】本発明の情報処理装置であるＤＶＤレコーダの実施形態１に係る電気的構成を示す機能ブロック図である。
【図２】実施形態１のＤＶＤレコーダによる予約録画時の処理動作を説明するためのフローチャートである。
【図３】ＤＶＤのデータ領域に記録される番組本編とＣＭの記録状態を示す説明図である。
【図４】実施形態１のＤＶＤレコーダによるＤＶＤ再生の処理動作を説明するためのフローチャートである。
【図５】実施形態２のＤＶＤレコーダの電気的構成を示す機能ブロック図である。
【図６】実施形態２のＤＶＤレコーダによるＤＶＤ再生の処理動作にを説明するためのフローチャートである。
【図７】ＤＶＤの所定の領域に記録されたＣＭの再生位置を示す説明図である。
【図８】実施形態３のＤＶＤレコーダの電気的構成を示す機能ブロック図である。
【図９】実施形態３のＤＶＤレコーダによるＤＶＤ再生の処理動作を説明するためのフローチャートである。
【図１０】実施形態４のＤＶＤレコーダによる予約録画時の処理動作を説明するためのフローチャートである。
【図１１】実施形態４のＤＶＤレコーダによるＤＶＤ再生の処理動作を説明するためのフローチャートである。
【符号の説明】
【００７４】
１Ａ〜１Ｄ  ＤＶＤレコーダ
２  制御部
３  受信部
４  ＣＭ検出部
５  記録／再生部
６  操作部
７  出力部
８  タイマー回路
９  無音区間検出部
【図１】
2006050169.tif 000003
【図２】
2006050169.tif 000004
【図３】
2006050169.tif 000005
【図４】
2006050169.tif 000006
【図５】
2006050169.tif 000007
【図６】
2006050169.tif 000008
【図７】
2006050169.tif 000009
【図８】
2006050169.tif 000010
【図９】
2006050169.tif 000011
【図１０】
2006050169.tif 000012
【図１１】
2006050169.tif 000013